(57)【要約】【課題】  締結部材の厚さを薄くし、全体のコンパクト化を図り、しかも堅牢で強度的に優れた機能を発揮でき、着脱操作も容易なバインダーを得ること。【解決手段】  綴じ具２の基板２１部分を背表紙１１の内面側に着脱自在に固定するための締結部材３を有するバインダーである。締結部材３は、ベース部材６と、そのベース部材６に装着する板状のスライド部材７とを備える。ベース部材６は、背表紙１１及び基板２１を貫通して基板２１上に突出する突出部６２と、突出部６２の両側にそれぞれ設けられた係合部６３とを有する。スライド部材７は、ベース部材６への装着時に各係合部６３にそれぞれ係合する複数の係合片７１を有し、各係合片は、綴じ具２の基板２１と係合部６３との間に差し込まれる板状に形成されている。【選択図】      図１
2006305764.tif 000002
【特許請求の範囲】
【請求項１】
綴じ具の基板部分を背表紙の内面側に着脱自在に固定するための締結部材であって、
ベース部材と、そのベース部材に装着する板状のスライド部材とを備え、
前記ベース部材は、背表紙及び綴じ具の基板を貫通してその基板上に突出する突出部と、突出部にそれぞれ設けられた複数の係合部とを有し、
前記スライド部材は、ベース部材への装着時に前記各係合部にそれぞれ係合する複数の係合片を有し、
前記係合片は、前記綴じ具の基板と前記係合部との間に差し込まれる板状に形成されている、締結部材。
【請求項２】
前記係合片の表面には係合片の差し込み方向に延びる突条が形成され、前記係合部には、前記突条の進入を許容するガイド溝が形成されている、請求項１に記載の締結部材。
【請求項３】
前記綴じ具の基板と前記スライド部材との間には、スライド部材のベース部材への装着時に互いに係合してスライド部材をその装着位置に位置決めする係止手段が設けられている、請求項１または２に記載の締結部材。
【請求項４】
前記突出部は、前記係合片の差し込み方向と相対する側面に設けられたスリットを含み、前記スライド部材の隣り合う係合片間には、スライド部材のベース部材への装着時に前記スリットに嵌り込む補助係合片が設けられている、請求項１乃至３の何れかに記載の締結部材。
【請求項５】
請求項１乃至４の何れかに記載の締結部材と、その締結部材により背表紙の内面側に着脱自在に固定された綴じ具とを備えたバインダー。
【発明の詳細な説明】
【技術分野】
【０００１】
本発明は、書類等を綴じ込むための綴じ具の基板部分を背表紙の内面側に着脱自在に固定する締結部材を備えたバインダーの技術に関する。
【背景技術】
【０００２】
バインダー類においては、表紙体の背表紙の内面側に、綴じ具が固定されている。この綴じ具としては、従来から種々のタイプのものが知られている。中でも、多数枚の書類等を綴じ込むことができる厚手のバインダーでは、例えば、基板部分と、この基板部分の左右両側に配置された一対の綴じプレートと、この綴じプレート間に差し渡される綴じロッドとを備える綴じ具が広く採用されている。
【０００３】
綴じ具の基板部分を背表紙の内面側に固定する場合、背表紙と基板に互いに合致する複数の孔を開けておき、この孔を利用してリベットで固定する方法が一般的に採用されている。
【０００４】
このリベットを用いた固定方法では、表紙体に綴じ具を一度固定してしまうと、両者を分離するのは難しい。一般に、表紙体は厚紙や合成樹脂製シート等からなる可燃物であり、綴じ具は主体が金属から成る不燃物である。そのため、近年におけるゴミ処理問題や自然環境保護の観点から要求されている分別廃棄について対応し難い問題があった。さらに、金属から成る耐久性を備えた綴じ具の再利用ができない問題もあった。
【０００５】
これらの点に配慮した技術が特許文献１に記載されている。この特許文献１に記載のバインダーは、背表紙の内面側にベース固定具（締結部材）を介して着脱自在に固定された綴じ具を備えている。ベース固定具は、全体が樹脂製であって、背表紙及びベースを貫通する貫通部材と、この貫通部材に形成された穴に挿抜可能な挿通軸部と、この挿通軸部の隣接位置に設けられたフック部とを備えている。そして、挿通軸部が貫通部材の穴に挿入されたときにベースが背表紙に固定される。
【特許文献１】特開２００３−２７６３７５号公報
【発明の開示】
【発明が解決しようとする課題】
【０００６】
しかしながら、このような着脱自在な綴じ具を備えたバインダーは、次のような点で解決すべき課題がある。
（１）ベース固定具の構成部材であるクサビ部材の本体から突出させたフック部を挿通軸部の隣接位置に設け、かつフック部がクサビ部材本体から近い距離にあることから、フック部の抵抗が大きく、フック部をたわませてクサビ部材を貫通部材から取り外したり、取り付けたりするのに、大きな力が必要となり、特に、取り外しが困難である。
【０００７】
（２）２本の挿通軸部の外側が開放状態となっていることから、生産工程での組み立て時及び貫通部材からの取り外しにより、挿通軸部が外部と接触しやすく、変形、破損が生じやすい。変形、破損については、フック部を外側に設けても、同様のことが言える。また、挿通軸部と挿通軸部の隣接位置にフック部を設ける構造では、軸径を小さくして、ベース固定具のコンパクト化を図ろうとすると、強度を維持するために軸の本数を増やす必要があり、軸径を小さくすると、変形、破損がより生じやすくなるという不都合が生じる。
【０００８】
よって、本発明の課題は、従来のベース固定具に対応する締結部材の厚さを薄くして、
全体のコンパクト化を図り、しかも堅牢で強度的に優れた機能を発揮でき、着脱操作も容易なバインダー及びそれに用いる締結部材の技術を提供することにある。
【課題を解決するための手段】
【０００９】
前記課題を解決するため、本発明では以下の手段を採用した。
本発明は、綴じ具の基板部分を背表紙の内面側に着脱自在に固定するための締結部材であって、ベース部材と、そのベース部材に装着する板状のスライド部材とを備え、ベース部材は、背表紙及び綴じ具の基板を貫通してその基板上に突出する突出部と、突出部の両側にそれぞれ設けられた複数の係合部とを有し、スライド部材は、ベース部材への装着時に各係合部にそれぞれ係合する複数の係合片を有する。
【００１０】
本発明によれば、背表紙及び基板を貫通して基板上に突出する突出部の両側に係合部をそれぞれ設け、各係合部にそれぞれ係合する複数の係合片をスライド部材に設けているので、締結部材全体を薄く構成することができる。特に、一つの突出部に対して二つの係合部が存在し、それに対応する係合片も少なくとも二つ存在するので、個々の係合片を薄くしても、全体としての係合片の必要な強度を維持することが可能になる。また、係合片は、断面Ｌ字構造をしていることから、軸構造に比べ、変形、破損に強い。これにより、締結部材の薄型化を図ることができる。
【００１１】
また、本発明において、前記係合部は、断面略Ｔ字形状に形成され、前記係合片の表面には係合片の差し込み方向に延びる突条が形成され、係合部には、突条の進入を許容するガイド溝が形成されていることが望ましい。係合片にその長さ方向に沿った突条を設けた場合、係合片自体を補強する機能とガイド機能の両方を発揮させることができる。さらに、係合部に係合片の突条が係合することによって、書類による過度の荷重がかかった場合に、スライド部材の係合片が外側に変形し、綴じ具が脱落しようとする動きを防ぐことができる。
【００１２】
また、前記突出部は、背表紙の幅が狭ければ（例えば、５ｃｍ未満）、１つでも良く、この場合のスライド部材には、突出部の係合部に対応する２つの係合片が設けられる。背表紙の幅が広くなれば（例えば、５ｃｍ以上）、前記背表紙の幅方向に間隔をおいて１対設けられ、前記スライド部材には、各突出部の係合部に対応する４つの係合片が設けられていることが望ましい。このように４つの係合片を備える構成とした場合、各係合片を薄い板状に形成しても、全体としては充分な強度を有する設計とすることができる。
【００１３】
スライド部材と基板との間には、スライド部材と基板の相対する面の何れか一方に設けられた凸部と、他方に設けられて凸部が嵌合する凹部とを含む構成の係止手段を設けることができる。このように凹凸嵌合とした場合、フック部材を設けるのに比べて係止手段を簡易な構成とすることができる
上、変形、破損が生じ難い。
【００１４】
また、スライド部材には弾性変形可能な支持片が設けられ、その支持片に凸部を設けても良い。このように弾性変形可能な支持片に凸部を設けた場合、支持片の弾性変形作用によって凸部の出没量を変化させることができる。これにより、スライド部材をベース部材に装着又は離脱させる際の操作性の向上を図りつつ、係止手段としての機能を高めることができる。
【００１５】
本発明は、綴じ具の基板部分を背表紙の内面側に着脱自在に固定するための締結部材を備えたバインダーであって、締結部材は、ベース部材と、そのベース部材に装着する板状のスライド部材とを備え、ベース部材は、背表紙の外面側へ配置される抜け止め部と、背表紙及び綴じ具の基板を貫通して基板上に突出する突出部と、突出部の両側にそれぞれ設
けられた係合部とを有し、スライド部材は、ベース部材への装着時に各係合部にそれぞれ係合する複数の係合片を有する。
【００１６】
本発明の締結部材によれば、従来のベース固定具よりも厚さを薄くして、全体のコンパクト化を図ることができるのに加え、フック部材を設けていないので、構成が簡単で製作性に優れ、成型後の変形も小さいといった利点が得られる。
【００１７】
ここで、前記突出部は、背表紙の幅が狭ければ（例えば、５ｃｍ未満）、１つでも良く、この場合のスライド部材には、突出部の係合部に対応する２つの係合片が設けられる。背表紙の幅が広くなれば（例えば、５ｃｍ以上）、背表紙の幅方向に間隔をおいて１対設けられ、スライド部材には、各突出部の係合部に対応する４つの係合片が設けられていることが望ましい。
【００１８】
また、スライド部材には、スライド部材のベース部材への装着時に綴じ具の基板に設けた凹部に嵌合してスライド部材をその装着位置に位置決めする凸部が設けられていることが望ましい。このようにスライド部材に凸部を設けた場合、凸部を必要な突出量とする成形が容易になる上に、綴じ具の基板に対しては単なる穴開け加工で凹部を形成することができる。これにより、係止手段を簡易にし、材料の使用量も少なく、しかも薄型に構成することができる。
【００１９】
また、スライド部材には弾性変形可能な支持片が設けられ、その支持片に凸部を設けても良い。このように弾性変形可能な支持片に凸部を設けた場合、支持片の弾性変形作用によって凸部の出没量を変化させることができる。これにより、スライド部材をベース部材に装着又は離脱させる際の操作性の向上を図りつつ、係止手段としての機能を高めることができる。
【発明の効果】
【００２０】
本発明によれば、締結部材の厚さを薄くし、全体のコンパクト化を図り、しかも堅牢で強度的に優れた機能を発揮でき、着脱操作も容易なバインダー及びそれに用いる締結部材が得られる。
【発明を実施するための最良の形態】
【００２１】
以下、本発明の好適な実施の形態について、図面を参照して説明する。
図１は、本発明の実施形態に係る締結部材を備えたバインダーの斜視図である。図２及び図３は締結部材の斜視図であり、図４はその平面図である。図５（ａ）、（ｂ）は締結部材によって綴じ具を背表紙に着脱自在に固定した状態の拡大断面図である。
【００２２】
（第１実施形態）
この実施形態のバインダーＢは、表紙体１の背表紙１１の内面側に金属製の綴じ具２の基板２１部分を着脱自在に固定するための合成樹脂製の締結部材３を備えている。表紙体１は厚紙や合成樹脂製シート等により形成されている。
【００２３】
綴じ具２は、締結部材３によって背表紙１１に固定される基板２１と、基板２１の左右（背表紙１１の幅方向）両側部分に配置されて外方へ押し広げる操作が可能な一対の操作部材２２，２２と、両操作部材２２，２２間に差し渡されて着脱可能に装着された綴じ部材２３とを備えている。
【００２４】
基板２１は金属板の加工により形成されたもので、図５（ａ）に示すように、基板２１の左右両側に立ち上がり部２４，２４が設けられている。立ち上がり部２４、２４の上端には軸受け２５，２５が設けられている。そして、この軸受け部２５，２５に対して一対
の操作部材２２、２２が軸ピン（図示せず）を介してヒンジ結合されている。
【００２５】
綴じ部材２３は、一方の操作部材２２に装着された支持板２３ａから延びる金属棒からなる挿入ロッド２３ｂと、他方の操作部材２２に装着された支持板２３ｃから延びる金属パイプからなる受容ロッド２３ｄとを備えている。そして、書類等の取り出しや綴じ入れ時には、操作部材２２，２２を外側へ広げるように操作することで、綴じ部材２３を開放させることができるように構成されている。
【００２６】
なお、基板２１と背表紙１１には、締結部材３の後述するベース部材６の突出部６２を貫通させる平面四角形の孔２１ａと抜き孔１１ａが同軸に設けられている。基盤２１の孔２１ａと背表紙１１の抜き孔１１ａは、背表紙１１の幅方向に間隔をおいて一対、さらに背表紙１１の高さ方向に間隔をおいて一対、合計２対（４つ）設けられている（図１及び図５（ａ）参照）。
【００２７】
また、この綴じ具２の基板２１の裏面には、図６及び図７に示すように、背表紙１１の抜き孔１１ａと基板２１の孔２１ａとを互いに同軸に合致させて位置決めし、綴じ具２が脱着方向と直交する方向に位置ずれを起こすことを規制するための位置決め片２１ｂが複数設けられている。各位置決め片２１ｂは、図示例では基板２１の抜き孔２１ａの相対する縁部分から基板２１の裏面側へ切り起こされた切り起こし片により形成されている。各位置決め片２１ｂの切り起こし角度は、基板２１の裏面に対してほぼ９０度に設定されている。各位置決め片２１ｂの高さは背表紙１１の厚さを超えないように設定されている。各位置決め片２１ｂの先端は舌片状に丸められ、背表紙１１の抜き孔１１ａに挿入し易いように配慮されている。各位置決め片２１ｂは、基板２１の孔２１ａ一つあたり４つ設けられ、それぞれが孔２１ａの四隅近くに配置され背表紙１１の抜き孔１１ａの内側縁に嵌合する（図７参照）。これにより、各位置決め片２１ｂを背表紙１１の対応する抜き孔１１ａに挿入した状態において、基板２１は背表紙１１に対してその前後左右（背表紙の幅方向及び高さ方向）に位置ずれしないように位置決めされる。
【００２８】
締結部材３は、図２〜図５（ａ）に示すように、ベース部材６と、そのベース部材６に装着する板状のスライド部材７とを備えている。ベース部材６は、背表紙１１の外側に配置される薄いプレート状の抜け止め部６１と、抜け止め部６１から突出し、背表紙１１及び基板２１を貫通して基板２１上に突出する一対の突出部６２、６２と、各突出部６２の両側にそれぞれ設けられた係合部６３，６３とを有している。そして、スライド部材７には、ベース部材６に対する装着時に各係合部６３にそれぞれ係合する４つの係合片７１と、スライド操作用の凹所７２とが設けられている。
【００２９】
綴じ具２の基板２１とスライド部材７との間には、スライド部材７のベース部材６への装着時に互いに係合してスライド部材７をその装着位置に位置決めする係止手段８が設けられている。この係止手段８としては、スライド部材７又は基板２１の相対する面の何れか一方に設けられた凸部８１と、他方に設けられて凸部８１が嵌合する凹部８２とを含む構成とすることができる。この実施形態では、スライド部材７に凸部８１を設け、基板２１に凹部８２を設けて係止手段８を構成している。このように凹凸嵌合とすることで、従来のようにフック部材を設けるのに比べて係止手段を簡易な構成とすることができる上、変形、破損が生じ難い。
【００３０】
特に、スライド部材７に凸部８１を設けた場合、凸部８１を必要な突出量とする成形が容易になる上に、綴じ具２の基板２１に対しては、図１に示すように単なる穴開け加工で凹部８２を形成することができる。これにより、係止手段８を簡易にしかも薄型に構成することができる。
【００３１】
また、スライド部材７に設けた凹所７２の部分が薄肉に形成されている点を利用し、その凹所７２部分に弾性変形可能な支持片８３を設け、その支持片８３に凸部８１を設けた構成としても良い。支持片８３は、凹所７２の部分に平面Ｕ形状の切り欠き８４を形成することで弾性変形可能に構成している。このように弾性変形可能な支持片８３に凸部８１を設けた場合、支持片８３の弾性変形作用によって凸部８１の出没量を変化させることができる。これにより、スライド部材７をベース部材６に装着又は離脱させる際の操作性の向上を図りつつ、係止手段としての機能を一段と高めることができる。
【００３２】
係止手段は、このようにスライド部材７の外側から内側に向かって平面Ｕ形状の切り欠き８４を形成して設けても良いし、図８に示すようにスライド部材７の内側から外側に向かって平面Ｕ形状の切り欠き８４を形成して設けても良い。また、係止手段は、図１６に示すように平面Ｕ形状の切り欠き８４を複数形成して設けても良い。
【００３３】
この実施形態では、各係合部６３は、突出部６２の両側へそれぞれ突出した断面略Ｔ字形状に形成され、各係合片７１は基板２１と係合部６３との間に差し込まれる薄板状に形成されている。したがって、隣り合う係合片７１，７１の間隔αは、突出部６２の幅方向（背表紙１１の幅方向）の厚さよりも僅かに大きく形成されている。
【００３４】
係合片７１は、断面Ｌ字構造をしていることから、全体としては充分な強度を有する設計となっている。
【００３５】
係合片７１の表面には、係合片７１の差し込み方向（係合片の長さ方向）に延びる突条７３が形成されている。これに対応して、係合部６３の下面には、突条７３の進入を許容するガイド溝６４が形成されている。これは、係合片７１にその長さ方向に沿った突条７３を設けることで、係合片自体の補強機能と書類による過度の荷重がかかった場合にスライド部材の係合片７１が外側に変形し、綴じ具が脱落しようとする動きを防ぐ機能の両方を発揮させるために設けたものである。
【００３６】
なお、突条７３及びガイド溝６４を設けることで上述の機能を発揮させることができるが、締結部材としての本質的な機能を発揮させる観点からすれば、図５（ｂ）に示すように係合部６３の下面を平坦面に形成すると共に、係合片７１の上面もそれに対応して平坦面に形成してもよい。
【００３７】
板状に形成された抜け止め部６１には、係合部６３に向かって、突出部６２と平行に一対の壁部６５を起立させ、壁部６５の先端辺を突出部６２とは反対側に折り曲げて爪部６６を設けることによって、ベース部材６を背表紙１１の抜き孔１１ａに仮止めすることができる。
【００３８】
また、突出部６２の短辺側側面には、ベース部材６を表紙の抜き孔１１ａにセットした際に、ベース部材６の表紙の短辺の上下方向の位置を規制する位置決め部６７を設けている。
【００３９】
なお、この締結部材３を利用して、綴じ具２を表紙体１の背表紙１１に着脱自在に固定するには、例えば次の作業を行えばよい。図６に示すように、まず、背表紙１１の内側からその背表紙１１に設けた抜き孔１１ａに対して、綴じ具２の基板２１に設けた各位置決め片２１ｂを、対応する抜き孔１１ａに挿入して背表紙１１に綴じ具２をセットする。次に、背表紙１１の外側からその背表紙１１に設けた抜き孔１１ａ及び基板２１の孔２１ａに対して、ベース部材６の各突出部６２を挿入して貫通させる。最後にスライド部材７を二つともそれぞれ差し込んで装着する（図１参照）。
【００４０】
表紙体１と綴じ具２を分離する場合には、スライド部材７の凹所７２を利用して、そのスライド部材７を二つとも引き抜けばよい。
【００４１】
（第２実施形態）
次に、図８〜図１２を参照して本発明の第２実施形態について説明する。なお、この第２実施形態において、第１実施形態と基本的に同一の構成要素については同一符号を付してその説明を簡略化する。
【００４２】
この第２実施形態では、スライド部材７の係合片７１に設ける突条７３と、係合部６３下面のガイド溝６４の断面形状とを変えている点に特徴がある。即ち、突条７３については断面凸形状の角部分を部分的に縁取りして滑らかな曲面に形成している。ガイド溝６４も突条７３の断面形状に対応するように角部分を部分的に縁取りして滑らかな曲面にしている。この形状により、書類による過度の荷重がかかった場合に、スライド部材７の係合片７１が外側に変形し、綴じ具が脱落しようとする動きを防ぐことができるとともに、成形が容易で、ガイドとしての機能も向上させることができる。
【００４３】
（第３実施形態）
次に図１３及び図１４を参照して本発明の第３実施形態について説明する。なお、この第３実施形態において、第１及び第２実施形態と基本的に同一の構成要素については同一符号を付してその説明を簡略化する。
【００４４】
この第３実施形態では、係止手段８を一対設けた点に特徴がある。即ち、スライド部材７に設けた凹所７２の部分が薄肉に形成されている点を利用し、その凹所７２部分に弾性変形可能な支持片８３を凹所７２の左右（背表紙の幅方向）に寄せた位置に２カ所設けると共に、両支持片８３の下面に凸部８１をそれぞれ設けた構成としたものである。両支持片８３も、凹所７２の部分に平面Ｕ形状の切り欠き８４を形成することで弾性変形可能に構成している。支持片８３を２カ所設けた関係で、綴じ具２の基板２１にも、突部８１がそれぞれ嵌合する凹部８３を２カ所設けている。このように係止手段８を一対設けた場合、その分、係止手段８の機能が高まる。
【００４５】
（第４実施形態）
次に、図１５〜図１８を参照して本発明の第４実施形態について説明する。なお、この第４実施形態において、先の実施形態と基本的に同一の構成要素については同一符号を付してその説明を簡略化する。
【００４６】
この第４実施形態では、係合部６３と係合片７１との係合面積を増加させた点に特徴がある。即ち、突出部６２は、係合片７１の差し込み方向と相対する側面に設けられたスリット６２ａを含み、スライド部材７の隣り合う係合片７１，７１間に、スライド部材７のベース部材６への装着時にスリット６２ａに嵌り込む補助係合片７１ａを設けた構成としたものである。
【００４７】
スリット６２ａは一箇所でも良い。しかし、この実施形態では使い勝手に配慮して、係合片７１の差し込み方向と相対する側面に一箇所、それと反対側の側面に一箇所、合計二箇所設けている。これにより、スリットの向きを考慮せずに、ベース部材６を背表紙の穴に貫通させることができる。
【００４８】
補助係合片７１ａは、隣り合う係合片７１，７１を含めて平面コ字形状に形成されるように、係合片７１の差し込み方向の手前側に寄せた位置に設けられている。これにより、係合片全体としての強度が高められ、かつ、補助係合片７１ａを付加した分だけ、係合面積が増加し、締結部材としての機能がさらに高められる。
【００４９】
なお、以上の実施形態では、ベース部材６に突出部６２を一対設けた例を示したが、背表紙の幅に応じ、それ以上、あるいは一つだけ設けてもよい。一つの場合には抜け止め部６１の中央に設けることになる。一つの突出部６２としても、その左右に係合部６３が存在し、係合片７１も二つ存在することになるので、この場合も充分な強度が得られる。
【図面の簡単な説明】
【００５０】
【図１】本発明の第１実施形態に係る締結部材を備えたバインダーの斜視図。
【図２】本発明の第１実施形態に係る締結部材の分解斜視図。
【図３】本発明の第１実施形態に係る締結部材の斜視図。
【図４】本発明の第１実施形態に係る締結部材の平面図。
【図５】本発明の実施形態に係る締結部材によって綴じ具を背表紙に着脱自在に固定した状態を示す図で、（ａ）は拡大断面図、（ｂ）は突出部の形状を異ならせた例を示す拡大断面図。
【図６】本発明の実施形態に係る綴じ具の裏面の位置決め片と背表紙の抜き孔との関係を示す部分斜視図。
【図７】本発明の実施形態に係る綴じ具の裏面の位置決め片と背表紙の抜き孔との関係を示す部分断面図。
【図８】本発明の第２実施形態に係る締結部材を備えたバインダーの斜視図。
【図９】本発明の第２実施形態に係るスライド部材を示す図で、（ａ）は正面図、（ｂ）は平面図、（ｃ）は側面図。
【図１０】本発明の第２実施形態に係るベース部材を示す図で、（ａ）は正面図、（ｂ）は平面図、（ｃ）は側面図。
【図１１】本発明の第２実施形態に係る締結部材の斜視図。
【図１２】本発明の第２実施形態に係る締結部材の断面図。
【図１３】本発明の第３実施形態に係る締結部材を備えたバインダーの斜視図。
【図１４】本発明の第３実施形態に係る締結部材のスライド部材の平面図。
【図１５】本発明の第４実施形態に係る締結部材の斜視図。
【図１６】本発明の第４実施形態に係る締結部材の斜視図。
【図１７】本発明の第４実施形態に係る締結部材の部分断面図。
【図１８】本発明の第４実施形態に係る締結部材のスライド部材の平面図。
【符号の説明】
【００５１】
１  表紙体
１１  背表紙
１１ａ  背表紙の抜き孔
２  綴じ具
２１  基板
２１ａ  基板の孔
３  締結部材
６  ベース部材
６１  抜け止め部
６２  突出部
６２ａ  スリット
６３  係合部
７  スライド部材
７１  係合片
７１ａ  補助係合片
７２  凹所
７３  突条
８  係止手段
８１  凸部
８２  凹部
８３  支持片
８４  切り欠き
【図１】
2006305764.tif 000003
【図２】
2006305764.tif 000004
【図３】
2006305764.tif 000005
【図４】
2006305764.tif 000006
【図５】
2006305764.tif 000007
【図６】
2006305764.tif 000008
【図７】
2006305764.tif 000009
【図８】
2006305764.tif 000010
【図９】
2006305764.tif 000011
【図１０】
2006305764.tif 000012
【図１１】
2006305764.tif 000013
【図１２】
2006305764.tif 000014
【図１３】
2006305764.tif 000015
【図１４】
2006305764.tif 000016
【図１５】
2006305764.tif 000017
【図１６】
2006305764.tif 000018
【図１７】
2006305764.tif 000019
【図１８】
2006305764.tif 000020